(57)【特許請求の範囲】
【請求項１】
ケース本体とシールドケースを備える。ケース本体は、ケース部材とカバー部材とを備えている。ケース本体の内部には、シールドケース収納部を備える。上記シールドケース収納部に収納してあるシールドケースにあっては、内部に電子回路を備えさせてあり、下側には、内部の電子回路と外部の導体とを連結する為の複数の接栓座を備えさせてある。
上記のような電子機器ケースＡにおいて、上記ケース本体のケース部材における基台には、複数の貫通孔を並設すると共に、上記複数の貫通孔の各軸線方向の上方は開放させ、基台の側方には、シールドケースにおける係合部に係合させる為に上方向に向けて樹立させた係合爪を備えさせてある。
上記ケース本体のカバー部材は、シールドケース収納部の上方に位置させる天部材と、上記天部材の両側に上部側を連結してある状態で、シールドケース収納部の左右側に位置させる左右の側部材と、上記天部材の前側に上部側を連結してある状態で、シールドケース収納部の前側に位置させる前面部材と、上記天部材の後側に上部側を連結してある状態で、シールドケース収納部の後側に位置させる背部材とを備え、上記左右の側部材と、前面部材と、背部材は、夫々隣接相互を接続してある。
さらに、上記カバー部材の左右の側部材の内側で、かつ、ケース部材にカバー部材を合着した状態では上記係合爪に対向する場所には、上記係合爪を外部から内方に向けて押圧する為の当部を備えさせてある。
上記シールドケースは、底板と前後左右の側板とを備え、上記底板に備えさせてある複数の接栓座は夫々軸線を並行させた状態で、かつ下方に向けて長く突出させてあり、上記左右の側板の外側における上記係合爪に対向する位置には、係合爪と係合可能に対応させた係合部が配置してあることを特徴とする電子機器ケース。
【請求項２】
上記ケース部材における基台の周辺と、カバー部材の下部との間には、
基台に対してカバー部材を被せ付けた状態において、
相対向する位置に対して合着過程において係合するようにした浮き上がり防止手段を備えさせたことを特徴とする請求項１記載の電子機器ケース。   
【請求項３】
上記カバー部材における天部材の内面側には、
上記背面部材上部の外面における受止面に、カバー部材における背部材内面を当て付けた状態で、背面部材の内面に当接するように、
揺れ止め用の当て片を突設させて、背面部材の上部を背部材と当て片とで挟持できるようにしたことを特徴とする請求項１記載の電子機器ケース。   
【発明の詳細な説明】
【技術分野】
【０００１】
本発明は、電子機器ケースに関し、詳しくは、ケース本体の内部に対して、下側に複数の接栓座を備えさせてあるシールドケースを備えさせてある電子機器ケースに関する。
【背景技術】
【０００２】
従来より、電子機器ケースのケース本体の内部に対して、下側に複数の接栓座を備えさせてあるシールドケースを備えさせる構成は広く知られている。例えば、特許文献１の図１０に示される電子機器ケースは次のように構成されている。
ケース本体は、基台と背面部材とで断面Ｌ字型に構成し、内側にはシールドケース収納部（空間）を備えている。上記基台には、シールドケースにおける下向きの複数の接栓座を貫通させるための複数の貫通孔を並設し、上記基台における複数の貫通孔の各軸線方向の上方には、上記シールドケース収納空間を隔てて、上記シールドケース収納部（空間）に存置させるべきシールドケースを引き止め固定できるように、上記背面部材から延設した弾性爪部を配置してある。【０００３】
上記構成にあっては、上記シールドケース収納部（空間）に対して、下側に複数の接栓座を備えさせてあるシールドケースを組み付ける場合、上記基台における複数の貫通孔に対して、シールドケースの下側の複数の接栓座を夫々対応させながら挿入しようとしても、上記基台における複数の貫通孔の軸線方向の上方には弾性爪部が存在しているので、これが邪魔になる問題点があった。そこで、結果的には、上記基台における複数の貫通孔に対して、上記貫通孔の軸線方向とは交差する斜めの方向から上記シールドケースの下側の複数の接栓座を差し込まねばならないことになっていた。このために、上記貫通孔の内径を大きくして、貫通孔に対し、接栓座が斜め方向から差し込み易く構成していた。しかし、貫通孔の内径を大きくすることにより、そこから雨水や、ゴミの侵入が容易となる問題点が生じていた。【０００４】
上記問題点を解決できる構成として上記特許文献１の図１〜８に示される電子機器ケースは、基台と背面部材とは断面Ｌ字型に構成して内側にはシールドケース収納部（空間）を備え、さらに上記基台には、シールドケースにおける下向きの複数の接栓座を貫通させるための複数の貫通孔を並設してケース本体を構成していた。
そして、下側に複数の接栓座を備えさせてあるシールドケースを上記ケース本体に組み付ける場合、上記基台における複数の貫通孔に対して、シールドケースの下側の複数の接栓座を夫々対応させながら挿入し、上記基台にシールドケースを定置し、その後、上記シールドケースに別体形成の保持金具を合着させ、上記保持金具を背面部材に捻子を用いて固着することにより、上記シールドケースの止着を行っていた。
【先行技術文献】
【特許文献】
【０００５】
【特許文献１】特開２００５−２１７３６３号公報
【発明の概要】
【発明が解決しようとする課題】
【０００６】
この従来の構成による電子機器ケースでは、上記シールドケース収納部（空間）に対して、下側に複数の接栓座を備えさせてあるシールドケースを組み付ける場合、上記基台にシールドケースを定置した後、その定置の手間とは別に、別体の保持金具を用いて上記シールドケースを、上記背面部材に固着する手段が必要となり、部材費が増加すると共に、組立作業が煩雑になり、組立コストが高くなる問題点があった。【０００７】
本件出願の目的は、ケース部材に対するシールドケースの装着作業が簡易迅速に行うことができ、しかも、簡易に装着しても、ケース部材に対してシールドケースＣを定位置に保持することができる電子機器ケースを提供しようとするものである。
他の目的は、シールドケースの係合部をケース部材の係合爪に係合する場合の抵抗を弱めるために、係合爪の弾性力を少し弱く構成した場合でも、ケース部材に対するシールドケースの組付け状態を信頼性高く保持できる電子機器ケースを提供しようとするものである。
他の目的及び利点は図面及びそれに関連した以下の説明により容易に明らかになるであろう。
【課題を解決するための手段】
【０００８】
本発明における電子機器ケースＡは、ケース本体ＢとシールドケースＣを備える。ケース本体Ｂは、ケース部材６とカバー部材３０とを備えている。ケース本体Ｂの内部には、シールドケース収納部４を備える。上記シールドケース収納部４に収納してあるシールドケースＣにあっては、内部に電子回路を備えさせてあり、下側には、内部の電子回路と外部の導体とを連結する為の複数の接栓座５７を備えさせてある。上記のような電子機器ケースＡにおいて、上記ケース本体Ｂのケース部材６における基台８には、複数の貫通孔９を並設すると共に、上記複数の貫通孔９の各軸線９ａ方向の上方は開放させ、基台８の側方には、シールドケースＣにおける係合部５５に係合させる為に上方向に向けて樹立させた係合爪１３を備えさせてある。上記ケース本体Ｂのカバー部材３０は、シールドケース収納部４の上方に位置させる天部材３１と、上記天部材３１の両側に上部側を連結してある状態で、シールドケース収納部４の左右側に位置させる左右の側部材３２，３３と、上記天部材３１の前側に上部側を連結してある状態で、シールドケース収納部４の前側に位置させる前面部材３４と、上記天部材３１の後側に上部側を連結してある状態で、シールドケース収納部４の後側に位置させる背部材３５とを備え、上記左右の側部材３２，３３と、前面部材３４と、背部材３５は、夫々隣接相互を接続してある。さらに、上記カバー部材３０の左右の側部材３２，３３の内側で、かつ、ケース部材６にカバー部材３０を合着した状態では上記係合爪１３に対向する場所には、上記係合爪１３を外部から内方に向けて押圧する為の当部３８を備えさせてある。上記シールドケースＣは、底板４９と前後左右の側板50、51、52、53とを備え、上記底板４９に備えさせてある複数の接栓座５７は夫々軸線57ａを並行させた状態で、かつ下方に向けて長く突出させてあり、上記左右の側板５２，５３の外側における上記係合爪１３に対向させる位置には、係合爪１３と係合可能に対応させた係合部５５が配置してある。【０００９】
また好ましくは、上記ケース部材６における基台８の周辺と、カバー部材３０の下部との間には、基台８に対してカバー部材３０を被せ付けた状態において、相対向する位置に対して合着過程において係合するようにした浮き上がり防止手段を備えさせたものであればよい。【００１０】
また好ましくは、上記カバー部材３０における天部材３１の内面側には、上記背面部材上部の外面における受止面37ａに、カバー部材３０における背部材３５内面を当て付けた状態で、背面部材２０の内面に当接するように、揺れ止め用の当て片４３を突設させて、背面部材２０の上部を背部材３５と当て片４３とで挟持できるようにしたものであればよい。
【発明の効果】
【００１１】
以上のように本発明は、シールドケースＣを本体ケースＢのケース部材６に組付ける場合、シールドケースＣにおける複数の接栓座57を、上記複数の貫通孔９の軸線9a上に一致させて、定位置まで差込むだけの手間で、シールドケースＣの係合部５５がケース部材６の係合爪１３に係合して、ケース部材６にシールドケースＣが固定される特長があり、ケース部材６に対するシールドケースＣの装着作業が簡易迅速に行われ、組付作業のコストを低減する上に効果がある。【００１２】
しかも、上記複数の接栓座57を複数の貫通孔９の軸線上に一致させて、定位置に向けて差込むことができるということは、上記貫通孔９の内径D1を、接栓座57の外径D2に対応する小さな孔径に形成して、両者間の間隙を小さくしてあっても、複数の貫通孔９に複数の接栓座57を差込む場合に楽々と差込む作業を行うことができる特長を生み出す。
このことは、貫通孔９と接栓座57の両者間の間隙を小さくして、電子機器ケース内への雨水とゴミの侵入を防止できるように構成したものを提供する上に効果がある。【００１３】
さらに本発明は、本体ケースＢにおけるカバー部材３０の左右の側部材３２，３３の内側で、かつケース部材６にカバー部材３０を合着した状態では上記係合爪１３を外部から内方に向けて押圧できるように当部３８を備えさせてあるから、シールドケースＣをケース部材６に組付けた後、ケース部材６にカバー部材３０を取付た場合は、カバー部材３０の当部３８は、ケース部材６の係合爪１３を押圧する特長がある。
このことは、上記シールドケースＣの係合部５５をケース部材６の係合爪１３に係合する場合の抵抗を弱めるために、係合爪１３の弾性力を少し弱めた場合でも、係合部５５に対する係合爪１３の係合力を高めることができ、ケース部材６に対するシールドケースＣの組付け状態を信頼性高く保持し、品質を向上させる上に効果がある。【００１４】
さらに本発明にあって、基台８に対してカバー部材３０を被せ付けた状態において、相対向する位置に対して合着過程において係合するようにした浮き上がり防止手段を備えさせた場合は、上記のケース部材６の係合爪１３をカバー部材３０の当部３８で押圧する状態を安定的に維持する特長がある。【００１５】
さらに本発明にあって、上記カバー部材３０における天部材３１の内面側に、揺れ止め用の当て片４３を突設させて、背面部材２０の上部を背部材３５と当て片４３とで挟持できるようにした場合には、カバー部材３０を材料節減の為に薄く構成しても、カバー部材は外力に耐えて原形を維持し、雨水やゴミの侵入を防止する効果がある。
【図面の簡単な説明】
【００１６】
【図１】電子機器ケースの分解正面図。
【図２】（Ａ）はシールドケースとケース部材とカバー部材の合着状態を示す正面図。（Ｂ）は（Ａ）におけるＩＩ−ＩＩ線断面図。（Ｃ）は（Ｂ）のIIｃ部分の拡大図。
【図３】（Ａ）は電子機器ケースの分解斜視図。（Ｂ）はカバー部材の斜視図。
【図４】（A）は分解背面図、（Ｂ）は合着状態の背面図。
【発明を実施するための形態】
【００１７】
以下本発明の実施の形態を図面を用いて説明する。
図１は、シールドケースＣと、ケース本体Ｂにおけるケース部材６と、カバー部材３０との位置関係を説明する為の分解正面図。なお、ケース部材６とカバー部材３０は一部破断して示す。
図２（Ａ）はシールドケースＣを本体ケースＢのケース部材６に組付け、さらに、ケース部材６にカバー部材３０を取付た状態を示す正面図。なお、合着状態におけるシールドケースＣと、ケース部材６と、カバー部材３０との位置関係を説明する為に、ケース部材６とカバー部材３０は一部破断して示す。図２（Ｂ）は図２（Ａ）におけるＩＩ−ＩＩ線断面図（なお、係合爪１３と当部３８の位置関係を示す為に、シールドケースＣを一点鎖線で示す）。図２（Ｃ）は、図２（Ｂ）のIIｃ部分の拡大図。
図３（Ａ）は、シールドケースＣと、ケース部材６と、カバー部材３０の関係を説明する為の分解斜視図。図３（Ｂ）は、図３(A)におけるカバー部材３０の内側を説明する為に略180度回転させて示す斜視図。
図４はケース部材６と、カバー部材３０の関係を説明する為の背面図で、（Ａ）は分解図、（Ｂ）は合着した状態を示す背面図。
【００１８】
図１乃至図４において、電子機器ケースＡは、ケース本体ＢとシールドケースＣを備える。ケース本体Ｂは、ケース部材６とカバー部材３０とを備えている。ケース本体Ｂの内部には、シールドケース収納部４を備える。上記シールドケース収納部４に収納してあるシールドケースＣにあっては、内部に電子回路を備えさせてあり、下側には、内部の電子回路と外部の導体とを連結する為の複数の接栓座５７を備えさせてある。
【００１９】
上記ケース部材６について説明する。ケース部材６は、合成樹脂材料でもって基台８と背面部材２０とを断面Ｌ字型に型成形して製造されている。
上記ケース本体Ｂのケース部材６における基台８には、図１〜図３のように、複数の貫通孔９を並設すると共に、上記複数の貫通孔９の各軸線９ａ方向の上方１２は開放させてある。さらに、基台８の側方には、シールドケースＣにおける係合部５５に係合させる為に上方向に向けて樹立させた係合爪１３を備えさせてある。なお、８ａはリブを示す。
貫通孔９の内径D1は、シールドケースＣの接栓座57の外径D2に対応する孔径に形成してある。例えば、図２のように貫通孔９の内径D1を例えば１２mmとし、接栓座57の外径D2を例えば10.2mmにする等に形成してもよい。このように貫通孔９を形成した場合には、貫通孔９と接栓座57の両者間の間隙を小さくして、電子機器ケースＡ内への雨水とゴミの侵入を防止できるように構成したものを提供することができる。１０は周知のように、環状に形成した防水キャップ装着部、１１は防水キャップ挿入溝を示し、１５はカバー部材３０における掛合凸部４０と掛合する為の掛合部、15ａは係合凸部４０を位置させる為の掛合凹部を示す。
なお、図３の１７は、接栓座57の嵌合突片５８と嵌合する為の嵌合凹部で、図示のように複数の貫通孔９の内、両端の貫通孔に形成してある。
次に背面部材２０において、図２（Ｃ）、図４の37ａは、カバー部材３０の背部材３５における縁部35ｂを受止める為の受止面を示し、背部材３５の内側に当接して合着面３７を形成するようにしてある。図４の22ａは、カバー部材３０の係合凸部４２と係合する為の係合部材を示し、２２は係合凸部４２を位置させる為に対応形状に形成した係合凹部を示す。
【００２０】
次に上記ケース本体Ｂのカバー部材３０について説明する。カバー部材３０は、合成樹脂材料を型成形して製造されている。カバー部材３０は、図示の如く、シールドケース収納部４の上方に位置させる天部材３１と、上記天部材３１の両側に上部側を連結してある状態で、シールドケース収納部４の左右側に位置させる左右の側部材３２，３３と、上記天部材３１の前側に上部側を連結してある状態で、シールドケース収納部４の前側に位置させる前面部材３４と、上記天部材３１の後側に上部側を連結してある状態で、シールドケース収納部４の後側に位置させる背部材３５とを備える。上記左右の側部材３２，３３と、前面部材３４と、背部材３５は、夫々隣接相互を接続してある。
35ａは、図３、４に示されるように、ケース部材６の背面部材２０に連結されたベース６０を位置させる欠如部、35ｂはケース部材６の背面部材２０における受止面37ａの対応形状に形成した背部材３５の縁部を示す。
さらに、図１〜３に示されるように、上記カバー部材３０は、その左右の側部材３２，３３の内側で、かつ、ケース部材６にカバー部材３０を合着した状態（図２参照）では上記係合爪１３に対向する場所に、上記係合爪１３を外部から内方に向けて押圧する為の当部３８を備えている。
４０は上記ケース部材６の掛合凹部１５と掛合する為に、前面部材３４の内側に突設した掛合凸部を示す。４２はケース部材６の係合凹部２２と係合する為の係合凸部を示す。
【００２１】
次に、上記カバー部材３０における天部材３１の内面側には、揺れ止め用の当て片４３を突設させてもよい。当て片４３は、図２のようにケース部材６にカバー部材３０を合着させ、ケース部材６の受止面37ａに対して、カバー部材３０における背部材３５内面を当て付けた状態で、背面部材２０の内面に当接するように設ける。背面部材２０の上部20ａを当て片４３と背部材３５とで挟持できるように構成すれば良い。
このように構成した場合には、図２（Ｂ）（Ｃ）に示されるように、当て片４３が、背面部材２０の上部20ａに当接しているので、カバー部材３０を材料節減の為に薄く構成した場合においても、カバー部材３０は外力に耐えて原形を維持し、電子機器ケースＡ内への雨水やゴミの侵入を防止することができる。また、例えば外部からの力が矢印８７方向に加わった場合でも、カバー部材３０のケース部材６に対する合着状態を信頼性高く保持することもできる。なお、当て片４３の配設数を４個配設した例を図示したが、任意選択的に数を増減して配置してもよい。
さらに、当て片４３の天部材31からの突出寸法は、シールドケースＣの天板５４に当接可能な寸法に形成してあってもよい。このように構成した場合には、シールドケースＣをケース部材６に組付けた後、ケース部材６にカバー部材30を取付けた状態では、当部３８が係合爪１３を外部から内方に向けて押圧するに加え、さらに、シールドケースＣを上方から押圧する特長がある。このことは、ケース部材６に対するシールドケースＣの組付け状態をより信頼性高く保持し、品質を向上させる上に効果がある。
【００２２】
次に、上記シールドケースＣは、底板４９と前後左右の側板50、51、52、53とを備え、上記底板４９に備えさせてある複数の接栓座５７は夫々軸線57ａを並行させた状態で、かつ下方に向けて長く突出させてある。上記シールドケースＣの形成材料としては、亜鉛ダイカスト、アルミダイカスト等、通常シールド効果が期待できる硬質材料が用いられる。
なお、亜鉛ダイカストでＺＤＣ２の材料を用いる場合には、コスト面で有利であり、成形時での湯回り、湯流れがよい等の利点がある。
上記シールドケースＣの部材49と、接栓座57の外部導体側の部材とは一体に成型して生産性とシールド効果を高める構成にしてあるが、これらは別体成形であっても良い。
さらに、上記シールドケースＣの内部には、回路基板（プリント基板）が設けられ、その基板には、周知のように任意の電子部品が配設される。例えば増幅回路、分配回路、分岐回路、分波回路、混合回路等が単独または組み合わされた状態で配置される。
図１〜３に示されるように、上記左右の側板５２，５３の外側における上記係合爪１３に対向する位置には、係合爪１３と係合可能に対応させた係合部５５が配置してある。なお、係合部５５は左右の側板５２、５３から突設したものを図示したが、係合部５５は係合爪１３と係合可能であればよく、例えば左右の側板５２、５３を陥没させてその陥没部を係合部５５として利用してもよい。
５８は、ケース部材６における貫通孔９に備えさせる嵌合凹部１７と嵌合させる為の嵌合突片を示し、嵌合突片５８は、嵌合凹部１７に対応する形状に接栓座５７の外周面から突設させて形成してある。このように構成することにより、ケース部材６にシールドケースＣを差込む際、シールドケースＣの向きを誤って差込む（左右を逆転して差込む）ことを防止することができる。
【００２３】
図２（Ｂ）、図４の６０は、マストへ電子機器ケースを取付ける為の周知の締着具を結合する為のベースで、ケース本体Ｂの背面側の略中央部に一体的に連結してある。ベース６０において、６１は支持用のマストを当て付ける部分、６２は周知のＵ字ボルトの元部71ａを回動自在に枢支する為の軸孔、71は、電子機器ケースＡをマストに取り付ける場合に用いられる周知のＵ字ボルトの存在を示し、元部71ａを軸に起倒自在にしてあり、先にはマストを当て付けるための締め具を備える。７８は家屋の壁面に取付ける止着ねじの頭を挿入する大穴と、係止する小穴とからなる周知の係止穴を示す。
Ｅは家屋の壁面に取付ける場合に用いる周知の壁面取付部材を示し、７９は取付座、８０は止着ねじを挿通する透孔を示す。
なお、電子機器ケースＡにおいて、シールドケースＣの接栓座の数が５端子のものを図示したが、その端子数は周知のように要求に対応させて端子数を増減させばよく、また、その場合における電子機器ケースにおける左右方向の長さ寸法も、周知のように端子数に対応させた寸法に設定すればよい。
【００２４】
上記構成のものを用いて電子機器ケースＡを組立てる作業について説明する。
まず、図１に示されるように、シールドケースＣにおける複数の接栓座57の軸線57ａを、ケース部材６における複数の貫通孔９の軸線9a上に一致させて、矢印８４方向に差込む。すると、シールドケースＣの掛合部５５の下面55ａが、ケース部材６の係合爪１３の上面13ａに当たり、係合爪１３を矢印85方向へ弾力的に押し広げる。そして、シールドケースＣが定位置まで（図２の位置）差込まれると、係合爪１３は弾力的に元の位置に戻り、パチンと係合爪１３の係合段部13ｂと係合部５５の対応部分とが係合する。
このように、シールドケースＣのケース部材６に対する装着は、シールドケースＣを定位置まで差込むだけの簡単な手間で迅速に行うことができる。上記シールドケースＣが定位置に設置できることで、安定した電気的特性が維持できる。
【００２５】
次に、カバー部材３０を、ケース部材６に対して上方から（図１の矢印８４方向へ）被せつける。すると、図２に示すようにケース本体Bの前面側においては、浮き上がり防止手段、即ち、ケース部材６にカバー部材３０を被せ付けた状態を維持することが出来るように係合させるように構成された部材、例えばケース部材６の掛合凹部１５と、カバー部材３０の掛合凸部４０とが掛合し、ケース本体Bの背面側においては、浮き上がり防止手段を構成する部材、例えば図４に示すように、係合凸部４２と係合凹部２２とが係合して、カバー部材３０はケース部材６に対して定位置で合着する。
これらの浮き上がり防止手段を構成する部材の合着状態にあっては、図２に示されるように、カバー部材３０の当部３８は、ケース部材６の係合爪１３を安定的に押圧するので、ケース部材６に対するシールドケースＣの組付け状態を信頼性高く保持することができる。このことは、上記シールドケースＣの係合部５５をケース部材６の係合爪１３に係合する場合の抵抗を弱める為に、係合爪１３の肉厚をやや薄く形成したり、爪の係合深さを浅くしたりする等、弾性力を少し弱める手段を施した場合でも、係合部５５に対する係合爪１３の係合力を高く維持することができる。係合爪１３の弾性力を少し弱めた場合には、シールドケースＣのケース部材６に対する装着作業は、より簡易迅速に行うことができる。
【符号の説明】
【００２６】
Ａ・・・電子機器ケース、Ｂ・・・ケース本体、Ｃ・・・シールドケース、Ｅ・・・壁面取付部材、４・・・シールドケース収納部、５・・・背面、６・・・ケース部材、８・・・基台、９・・・貫通孔、９a・・・軸線、１０・・・防水キャップ装着部、１１・・・防水キャップ挿入溝（環状）、１２・・・開放部、１３・・・係合爪、 １５・・・掛合部、15ａ・・・掛合凹部、１７・・・嵌合凹部、２０・・・背面部材、２２・・・係合凹部、22ａ・・・係合部材、３０・・・カバー部材、３１・・・天部材、３２、３３・・・側部材、３４・・・前面部材、３５・・・背部部材、３８・・・当部、４０・・・掛合凸部、４２・・・係合凸部、４３・・・当て片、４９・・・底板、５０・・・側板（前）、５１・・・側板（後）、５２・・・側板（左）、５３・・・側板（右）、５４・・・天板、５５・・・係合部、５７・・・接栓座、５８・・・嵌合突片、６０・・・ベース
【図１】
0005395812.tif 000002
【図２】
0005395812.tif 000003
【図３】
0005395812.tif 000004
【図４】
0005395812.tif 000005